(57)【要約】【課題】  摘み部より開封用切目線に沿って、引裂き開封でき、上部熱接着部に到達すると一対の壁面シート間で剥離され、さらに開封用切目線に沿って壁面シートが引裂かれて開封でき広い開封口が形成される四隅シールガセットタイプの易開封性ガセット袋を提供することである。【解決手段】  基材層と熱接着性樹脂層が積層された一対の壁面シートと一対の側面シートとからなる四隅シールガセット袋であって、上部熱接着部を壁面シートの上端縁より所定長さ下方に寄せて設け、上部熱接着部の上側端縁と壁面シートの上端縁と側部に設けたガセット部の山折り線とで区画された領域に一対の開封用切目線を設けて摘み部を設け、開封用切目線が下方斜めに伸び側端縁熱接着部に跨ってそれぞれ延設され、摘み部より開封用切目線に沿って壁面シートより開封することを特徴とする易開封性ガセット袋である。【選択図】        図４
2008239187.tif 000002
【特許請求の範囲】
【請求項１】
基材層と熱接着性樹脂層が積層された一対の壁面シートと一対の側面シートとからなり、一対の前記壁面シートの前記熱接着性樹脂層面同士を対向させて配置し、一対の前記側面シートの前記熱接着性樹脂層を外面にして中央で内側に山折りし、前記壁面シート間の両側の側部に、それぞれ挿入し、前記壁面シートと前記側面シートの対向する前記熱接着性樹脂層面同士の側端縁で熱接着して側端縁熱接着部を四隅に形成し、ガセット部を設け、上部に前記側端縁熱接着部に直交する上部熱接着部を備えた四隅シールガセット袋であって、前記上部熱接着部を前記壁面シートの上端縁より所定長さ下方に寄せて設け、前記上部熱接着部の上側端縁と前記壁面シートの上端縁と前記側部に設けた前記ガセット部の内側に山折りされて形成された山折り線とで区画された領域に一方の前記壁面シートの上端縁から前記上部熱接着部の上側端縁に達する開封用切目線を前記基材層に一定の間隔で一対設けて該開封用切目線と前記上部熱接着部の上側端縁と前記壁面シートの上端縁で囲まれた部分に摘み部を設けて、前記開封用切目線が下方斜めに伸び前記側端縁熱接着部に跨ってそれぞれ延設され、前記摘み部より前記開封用切目線に沿って、前記壁面シートを引裂くと共に、前記上部熱接着部で前記壁面シート間で剥離させ、さらに前記開封用切目線に沿って前記壁面シートより開封することを特徴とする易開封性ガセット袋。
【請求項２】
前記開封用切目線が下方斜めに伸び前記側端縁熱接着部近傍で下方に湾曲し前記側端縁熱接着部に沿ってそれぞれ延設され、前記摘み部より前記開封用切目線に沿って、前記壁面シートを引裂くと共に、前記上部熱接着部で前記壁面シート間で剥離させ、さらに前記開封用切目線に沿って前記壁面シートより開封することを特徴とする請求項１記載の易開封性ガセット袋。
【請求項３】
前記摘み部の前記側端縁熱接着部側近傍に前記壁面シート間又は前記壁面シートと前記側面シート間に対向する前記熱接着性樹脂層面同士を熱接着してポイントシール部を設けたことを特徴とする請求項１又は２記載の易開封性ガセット袋。
【請求項４】
前記壁面シートの上端縁における前記開封用切目線の端部に開封開始手段が設けられたことを特徴とする請求項１〜３のいずれかに記載の易開封性ガセット袋。
【請求項５】
前記開封用切目線において前記摘み部に設けられた一方の前記壁面シートの上端縁から前記上部熱接着部の上側端縁間の部分が前記壁面シートを貫通する切れ目線からなることを特徴とする請求項１又は２記載の易開封性ガセット袋。
【請求項６】
前記開封用切目線が前記壁面シートの前記基材層のみを貫通する間欠した切目からなることを特徴とする請求項１〜５のいずれかに記載の易開封性ガセット袋。
【発明の詳細な説明】
【技術分野】
【０００１】
本発明は、一対の壁面シートと一対の側面シートからなり四隅に側端縁熱接着部を有する四隅シールガセット袋に関し、詳しくは、摘み部より開封用切目線に沿って壁面シートが引裂かれて開封でき広い開封口が形成される易開封性ガセット袋に関する。
【背景技術】
【０００２】
従来より、スナック菓子、スナック食品、あられ、ビスケット、おつまみ等を収納する包装袋として、四方シール、三方シール、ガセット袋あるいは底部にガセット部を備えた自立袋等が用いられている。中でも、ガセット袋や自立袋はガセット部を有するために立体形状とすることができ、優れた店頭効果を有し広く用いられ、特にガセット袋は収容量も大きくすることができ販売者にとって便利な形態である。ガセット袋には背貼り部を有するタイプやガセット部の四隅に側端縁熱接着部を設けた四隅シールガセット袋等がある。
【０００３】
しかし、ガセット袋は、開封時に側部のガセット部が開封を阻害するために、大きな開封口を形成することが難しい。そのため、開封時にハサミ等の道具を用いて上部熱接着部と内容物との間を切取ったりする必要があり、開封するのに手間隙がかかり面倒なものである。
【０００４】
これらのガセット袋の開封を容易にするために、プラスチックフィルム等よりなる軟包装材を用いた背貼り部を有するタイプの袋に於いて、該袋の片方の側面或いは対応する両方の側面の内壁面にほぼその全面を覆う巾広の引き裂きガイド補強部材を一体的に設けて構成したガセット袋が開示されている（例えば、特許文献１参照）。しかし、ガセット袋の上下シール部分において、両方の側面はガイド補強材の厚み分だけ厚みが増大し、上下シール部分の接着強度が低下すると共に、ガイド補強材のない部分との境界部分に段差を生じるためにピンホールが発生し十分な密封性が保持できないことがあるという問題があった。
【０００５】
また、互いに略平行方向の６辺で画された６つの側面と背貼りとを備え、前記６辺のうちの相対する１対が内側に折り込まれた谷折り線をなす変型六角筒形状の包装袋であって、前記背貼りは前記側面のうちの前記谷折り線を含まない面に設けられており、前記の６辺のうちの、前記谷折り線の少なくとも一方に隣接する２辺に沿って帯状の接着部分が設けられており、かつ、前記変型六角筒の両端の少なくとも一端における前記背貼りと前記帯状接着部との間に、開封開始手段が設けられているガセット袋が提案されている（例えば、特許文献２参照）。
【０００６】
上記の特許文献２の発明により、ガセット袋の密封性は保持できるものとなったが、一端に設けられた開封開始手段（Ｖ字形ノッチ）より包装体を引裂いて蛇行した開封線を生じながら帯状の熱接着部に到達し、到達後は帯状の熱接着部に沿って開封線が伝搬して引裂かれる構成となっており、開封開始手段より開封線が帯状の熱接着部に到達するまでの距離が長く、その開封口も不定形で不揃いなものとなり、さらに熱接着部に沿った開封線の切れ口もギザギザしたものとなり、開封口に美麗さがなく、外観を損ねるものとなるという問題がある。また、ガセット部の寸法が小さい場合には、大きな開封口とならず、例えば、ポテトチップ等を収納したガセット袋の場合、ポテトチップ等が消費されて少なくなってくると中を覗き込むようにして取り出さなければならず、取り出しにくいという不便さや、手を深く入れるために、ポテトチップを摘む手指以外に手の甲や掌を汚すという問題がある。
【特許文献１】特開平２−２５８５５８
【特許文献２】特開２００６−１７６１４３
【発明の開示】
【発明が解決しようとする課題】
【０００７】
そこで本発明は、上記問題点を解決し、摘み部より開封用切目線に沿って、引裂き開封でき、上部熱接着部に到達すると一対の壁面シート間で剥離され、さらに開封用切目線に沿って壁面シートが引裂かれて開封でき広い開封口が形成される四隅シールガセットタイプの易開封性ガセット袋を提供することである。
【課題を解決するための手段】
【０００８】
本発明は、上記課題を達成するために、請求項１記載の本発明は、基材層と熱接着性樹脂層が積層された一対の壁面シートと一対の側面シートとからなり、一対の前記壁面シートの前記熱接着性樹脂層面同士を対向させて配置し、一対の前記側面シートの前記熱接着性樹脂層を外面にして中央で内側に山折りし、前記壁面シート間の両側の側部に、それぞれ挿入し、前記壁面シートと前記側面シートの対向する前記熱接着性樹脂層面同士の側端縁で熱接着して側端縁熱接着部を四隅に形成し、ガセット部を設け、上部に前記側端縁熱接着部に直交する上部熱接着部を備えた四隅シールガセット袋であって、前記上部熱接着部を前記壁面シートの上端縁より所定長さ下方に寄せて設け、前記上部熱接着部の上側端縁と前記壁面シートの上端縁と前記側部に設けた前記ガセット部の内側に山折りされて形成された山折り線とで区画された領域に一方の前記壁面シートの上端縁から前記上部熱接着部の上側端縁に達する開封用切目線を前記基材層に一定の間隔で一対設けて該開封用切目線と前記上部熱接着部の上側端縁と前記壁面シートの上端縁で囲まれた部分に摘み部を設けて、前記開封用切目線が下方斜めに伸び前記側端縁熱接着部に跨ってそれぞれ延設され、前記摘み部より前記開封用切目線に沿って、前記壁面シートを引裂くと共に、前記上部熱接着部で前記壁面シート間で剥離させ、さらに前記開封用切目線に沿って前記壁面シートより開封することを特徴とする易開封性ガセット袋である。
【０００９】
また、請求項２記載の本発明は、請求項１記載の易開封性ガセット袋において、前記開封用切目線が下方斜めに伸び前記側端縁熱接着部近傍で下方に湾曲し前記側端縁熱接着部に沿ってそれぞれ延設され、前記摘み部より前記開封用切目線に沿って、前記壁面シートを引裂くと共に、前記上部熱接着部で前記壁面シート間で剥離させ、さらに前記開封用切目線に沿って前記壁面シートより開封することを特徴とするものである。
【００１０】
また、請求項３記載の本発明は、請求項１又は２記載の易開封性ガセット袋において、前記摘み部の前記側端縁熱接着部側近傍に前記壁面シート間又は前記壁面シートと前記側面シート間に対向する前記熱接着性樹脂層面同士を熱接着してポイントシール部を設けたことを特徴とするものである。
【００１１】
また、請求項４記載の本発明は、請求項１〜３のいずれかに記載の易開封性ガセット袋において、前記壁面シートの上端縁における前記開封用切目線の端部に開封開始手段が設けられたことを特徴とするものである。
【００１２】
また、請求項５記載の本発明は、請求項１又は２記載の易開封性ガセット袋において、前記開封用切目線において前記摘み部に設けられた一方の前記壁面シートの上端縁から前記上部熱接着部の上側端縁間の部分が前記壁面シートを貫通する切れ目線からなることを特徴とするものである。
【００１３】
また、請求項６記載の本発明は、請求項１〜５のいずれかに記載の易開封性ガセット袋において、前記開封用切目線が前記壁面シートの前記基材層のみを貫通する間欠した切目からなることを特徴とするものである。
【発明の効果】
【００１４】
請求項１、２の本発明は、壁面シートの上端縁から上部熱接着部の上側端縁に達する開封用切目線を基材層に一定の間隔で一対設けて該開封用切目線と上部熱接着部の上側端縁と壁面シートの上端縁で囲まれた部分に摘み部を設けて、摘み部より開封用切目線に沿って壁面シートを引裂くと共に、上部熱接着部で壁面シート間で剥離させ、さらに下方斜めに伸びる開封用切目線に沿って、壁面シートより開封でき、広い開封口が形成され、内容物が容易に取り出せるという効果がある。
【００１５】
さらに、開封用切目線に沿って、開封されるために美麗な開封口となり、それ以外の側面シートと開封用切目線を設けない他方の壁面シートとで広い開封口のトレー状容器となり内容物を手の甲や掌を汚すことなく取り出し易いという効果がある。
【００１６】
また、四隅に側端縁熱接着部を有するために該部が柱となりガセット袋としての自立性が向上し、優れた店頭効果が得られる。さらに、側部のガセット部を上下方向にすると下方向の側端縁熱接着部を脚として自立させることができ、缶状の形態とすることができる。
【００１７】
また、請求項３記載の本発明は、摘み部の側端縁熱接着部側近傍に壁面シート間又は壁面シートと側面シート間に熱接着してポイントシール部を設けることにより、容易に摘み部より開封用切目線に沿って、壁面シートの引裂き開始がスムーズになるものである。
【００１８】
また、請求項４記載の本発明は、開封開始手段を設けることにより開封用切目線からの開封を容易にするものであり、さらに、請求項５記載の本発明は摘み部に設けられた開封用切目線の部分を壁面シートを貫通する切れ目線とする構成にすることにより摘み部が容易に摘め開封開始がより一層スムーズになるものである。また、請求項６記載の本発明は、開封用切目線を基材層のみを貫通する間欠した切目とすることにより開封用切目線に沿って、壁面シートが容易に引裂けるものである。
【発明を実施するための最良の形態】
【００１９】
本発明の実施形態について、図面を参照しながら以下に詳述する。
図１は本発明にかかる易開封性ガセット袋の第一実施形態を示す正面図であり、図２は図１のＸ−Ｘ線断面図であり、図３は図１の易開封性ガセット袋に内容物を収納した包装体を示す斜視図であり、図４は図３の易開封性ガセット袋の開封状態を説明する斜視図であり、図５は第二実施形態を示す正面図であり、図６は第三実施形態を示す正面図であり、図７は第四実施形態を示す正面図である。図中のＡ１、Ａ１’は第一実施形態の易開封性ガセット袋、Ａ２は第二実施形態の易開封性ガセット袋、Ａ３は第三実施形態の易開封性ガセット袋、Ａ４は第四実施形態の易開封性ガセット袋、Ａ１’’はトレー状容器、Ｇはガセット部、Ｇａは山折り線、Ｐは上部熱接着部の上側端縁と壁面シートの上端縁と側部に設けたガセット部の内側に山折りされて形成された山折り線とで区画された領域、Ｑは開封片、Ｒは開封口、Ｓは側部、ｅは開封用切目線の終点、ｗは開封用切目線の湾曲点、αは摘み部の幅、βは壁面シートの上端縁から上部熱接着部の上側端縁間の長さ、１は壁面シート、２は側面シート、３は側端縁熱接着部、４は上部熱接着部、５は開封用切目線、５’は第二実施形態の開封用切目線、５ａは切目、５ｂは切れ目線、６は摘み部、７は開封開始手段としてのＶ字形ノッチ、８は下部熱接着部、９はポイントシール部、１０は基材層、２０は熱接着性樹脂層をそれぞれ示す。
【００２０】
図１は本発明にかかる易開封性ガセット袋の第一実施形態を示す正面図であり、図２は図１のＸ−Ｘ線断面図であって、開封用切目線と易開封性ガセット袋を折り畳んだ状態でガセット部の山折り線との交点付近における断面図である。図１、図２に示すように本発明にかかる易開封性ガセット袋Ａ１は、基材層１０と熱接着性樹脂層２０が積層された一対の壁面シート１と一対の側面シート２とからなり、一対の壁面シート１の熱接着性樹脂層２０、２０面同士を対向させて配置し、一対の側面シート２の熱接着性樹脂層２０を外面にして中央で内側に山折りし、壁面シート１、１間の両側の側部Ｓ、Ｓに、それぞれ挿入し、壁面シート１と側面シート２の対向する熱接着性樹脂層２０、２０面同士の側端縁で熱接着して側端縁熱接着部３を四隅に形成し、ガセット部Ｇを設け、上部に側端縁熱接着部３に直交する上部熱接着部４を備えた四隅シールガセット袋である。上部熱接着部４は壁面シート１、１間で剥離可能に熱接着されている。下端には下部熱接着部８を備え、易開封性ガセット袋Ａ１に内容物を収納後、熱接着して密封される。図１では未接着の状態であり、点線で示している。
【００２１】
上部熱接着部４は壁面シート１の上端縁より所定長さ下方に寄せて設け、上部熱接着部４の上側端縁と壁面シート１の上端縁と側部Ｓに設けたガセット部Ｇの内側に山折りされて形成された山折り線Ｇａとで区画された領域Ｐ（格子柄で示す部分）に一方の壁面シート１の上端縁から上部熱接着部４の上側端縁に達する開封用切目線５が基材層１０に一定の間隔αで一対設けられ、開封用切目線５、５と上部熱接着部４の上側端縁と壁面シート１の上端縁で囲まれた部分に摘み部６を設けている。一定の間隔は摘み部６の幅αに相当するものである。
【００２２】
開封用切目線５は上部熱接着部４を略垂直に跨ぎ下方斜めに伸び側端縁熱接着部３、３近傍で下方に湾曲し側端縁熱接着部３、３に沿ってそれぞれ延設されている。壁面シート１の上端縁には開封開始手段としてＶ字形ノッチ７が設けられ、Ｖ字形ノッチ７の尖端は開封用切目線５に連結している。このような構成とすることにより摘み部６よりＶ字形ノッチ７、７を開封開始起点として開封用切目線５、５に沿って、壁面シート１を引裂くと共に、上部熱接着部４に到達すると壁面シート１、１間で剥離させ、さらに開封用切目線５、５に沿って壁面シート１を引裂き開封することができる。なお、開封開始手段を設けるほうが、容易に開封できるので好ましく、上記のＶ字形ノッチ以外にＩ字形ノッチ、Ｕ字形ノッチ、亀甲形ノッチ等を用いることができる。また、開封開始手段の尖端、例えばＶ字形ノッチ７の尖端は、上部熱接着部４の上側端縁に達するように設けるほうが、開封の開始がスムーズとなるのでより好ましい。
【００２３】
基材層１０に設けられた開封用切目線５、５間の一定の間隔（摘み部の幅）αは領域Ｐ内であれば特に限定されるものではないが指で摘める程度の間隔が好ましく、通常１０ｍｍ〜５０ｍｍ程度でガセット部Ｇの山折り線Ｇａ間の中央に位置するように設ける。開封用切目線５は屈曲線、曲線もしくはそれらの組合せで設ければよい。開封用切目線５は、間欠した切目５ａからなり、基材層１０を貫通しているほうが好ましい。切目５ａの長さは０．３〜２．０ｍｍが好ましく、さらに、０．５〜１．５ｍｍがより好ましい。切目５ａの間隔（非切目）の長さは０．３〜１．０ｍｍが好ましく、さらには、０．５〜０．８ｍｍが好ましい。非切目の長さが１．０ｍｍを超えると開封方向が開封用切目線５から外れることがある。また、０．３ｍｍ未満では非切目が壁面シート１、側面シート２の積層体の製造中に切れる場合があり、また、製造中に積層体の切断やシワ発生原因となるために好ましくない。
【００２４】
次に壁面シート１、側面シート２を構成する基材層１０、熱接着性樹脂層２０について説明する。基材層１０にはポリプロピレン、ポリエチレンテレフタレート、ナイロン、ポリ塩化ビニリデン、ポリビニルアルコール、エチレン・ビニルアルコール共重合体等の二軸延伸、一軸延伸又は未延伸フィルムや出発原料を植物由来とする例えばポリ乳酸系の二軸延伸フィルム、さらには上記各フィルムに対してポリ塩化ビニリデン、ポリビニルアルコール等のガスバリア性組成物をコーティングしたフィルムあるいは酸化アルミニウム等の金属酸化物や酸化珪素等の無機物を蒸着したフィルムなどが用いられる。これらのフィルムは任意の厚さのものが適用されるが、通常の包装用としては、９〜５０μｍ程度のものが用いられる。
【００２５】
また、上記の基材層１０には通常のグラビア印刷あるいはフレキソ印刷により印刷層を設けることができ、該印刷に使用される印刷インキとしては公知のグラビアインキ、フレキソインキを用いることができ、基材層１０に用いるフィルムと良好に接着するインキを選定すればよい。
【００２６】
また、易開封性ガセット袋Ａ１に収納される内容物により、易開封性ガセット袋Ａ１に要求される酸素透過度、水蒸気透過度、遮光性、突刺し強度、落下強度等の物性が異なり、これらの要求物性を満足するように基材層１０と熱接着性樹脂層２０の間に中間層としてアルミニウム箔、アルミニウム蒸着プラスチックフィルム、酸化アルミニウム等の金属酸化物や酸化珪素等の無機物を蒸着したプラスチックフィルム、ポリビニルアルコール等のガスバリア性組成物をコーティングしたプラスチックフィルム及びエチレンビニルアルコール共重合体フィルム等のバリア性を有するフィルムを用いることができる。
【００２７】
熱接着性樹脂層２０には、低密度ポリエチレン、直鎖状低密度ポリエチレン、中密度ポリエチレン、高密度ポリエチレン、エチレン・酢酸ビニル共重合体、アイオノマー、ポリプロピレンないしは易剥離性熱接着性樹脂（ＥＰＲ）等をフィルム又はエクストルージョンラミネーションして使用される。なお、ＥＰＲの易剥離性を付与する方法として表面に接着力の弱い薄層を設けた多層構成とする方法や、相溶性の少ない樹脂をブレンドするなどの構成により易剥離性を発現させる方法などの公知のものが適宜採用される。上記の各層はドライラミネーション法やエクストルージョンラミネーション法等の公知の技法により積層され壁面シート１、側面シート２用の積層体が構成される。
【００２８】
なお、壁面シート１と側面シート２に用いる熱接着性樹脂層２０は、同じものを用いることもできるが、異なる樹脂の組合せ、例えば壁面シート１と側面シート２との間で剥離させたい場合、壁面シート１の熱接着性樹脂層２０にはＥＰＲ、側面シート２の熱接着性樹脂層２０には直鎖状低密度ポリエチレンを採用することにより、側端縁熱接着部３の壁面シート１と側面シート２との剥離性のコントロールが容易となるので好ましい。
【００２９】
次に、易開封性ガセット袋Ａ１の製造方法について壁面シート１及び側面シート２に中間層を積層する場合を代表例として説明する。まず壁面シート１は基材層１０には印刷と同時に例えば、ロータリーダイロール等により所定の位置に開封用切目線５を入れることができる。また、印刷後、所定の位置に例えば、ロータリーダイカッターやパルス発振タイプのレーザー照射等により開封用切目線５を入れてもよい。その後、中間層、熱接着性樹脂層２０を順次、ドライラミネーション法又はエクストルージョンラミネーション法で積層し、壁面シート１用の積層体の巻取が製造される。側面シート２は、基材層１０、中間層、熱接着性樹脂層２０を順次、ドライラミネーション法又はエクストルージョンラミネーション法で積層し、側面シート２用の積層体の巻取が製造される。その後、周知のガセット製袋機や自立袋製袋機等により、壁面シート１及び側面シート２用の巻取をそれぞれの給紙部より繰り出しながら易開封性ガセット袋Ａ１が製袋される。なお、開封用切目線５は、壁面シート１用の積層体の製造時点で設けることなく、製袋工程で壁面シート１用の積層体の巻取を巻き戻しながら、印刷見当に合せて所定位置にパルス発振タイプのレーザー照射等により開封用切目線５を基材層１０に設けてもよい。
【００３０】
次に図３、図４を用いて本発明にかかる易開封性ガセット袋Ａ１の使用方法について説明する。図３は図１の易開封性ガセット袋Ａ１に内容物を収納した包装体を示す斜視図であり、未接着の下部熱接着部８（図１参照）より内容物を収納し下部熱接着部８で熱接着して密封した状態を示している。図３に示すように包装体を開封するには、一方の手指で一方の壁面シート１に設けられた摘み部６を摘み、他方の手指で他方の壁面シート１の摘み部６に対向する部分を摘み、相反する方向に引っ張るとＶ字形ノッチ７、７の尖端を起点として開封用切目線５、５に沿って壁面シート１を引裂くと共に、図４に示すように上部熱接着部４で壁面シート１、１間で剥離させ、さらに下方斜めに伸びる開封用切目線５、５に沿って、壁面シート１が引裂かれ開封片Ｑが形成されると共に開封口Ｒが形成される。
【００３１】
このような構成とすることにより、図４に示すように壁面シート１に形成された開封口Ｒは美麗で広いものとなり、それ以外の側面シート２、２と開封用切目線を設けない他方の壁面シート１とで広い開封口を有するトレー状容器Ａ’’が構成され、図示しないが内容物を手の甲や掌を汚すことなく取り出し易いという効果がある。なお、易開封性ガセット袋Ａ１’で包装された包装体は側端縁熱接着部３を有するためにその部分に剛度が得られ、側部のガセット部Ｇを上下方向にすると下方向の側端縁熱接着部３を脚として自立させることができ、缶状の形態とすることもでき、店頭での陳列効果を高めることもできる。
【００３２】
図５は本発明にかかる易開封性ガセット袋の第二実施形態を示す正面図である。図５に示すように易開封性ガセット袋Ａ２の開封用切目線５’、５’は上部熱接着部４を略垂直に跨ぎ下方斜めに伸び側端縁熱接着部３、３に跨って該側端縁熱接着部３、３の外側端縁の終点ｅまでそれぞれ延設されている。壁面シート１の上端縁には開封開始手段としてＶ字形ノッチ７が設けられ、Ｖ字形ノッチ７の尖端は開封用切目線５’に連結している。その他は第一実施形態と同じである。このような構成とすることにより摘み部６よりＶ字形ノッチ７、７を開封開始起点として開封用切目線５’、５’に沿って、壁面シート１を引裂くと共に、上部熱接着部４に到達すると壁面シート１、１間で剥離され、さらに開封用切目線５’、５’に沿って壁面シート１を引裂き、側端縁熱接着部３、３に到達し、その後、側面シート２と壁面シート１との間で剥離され美麗で広い開封口が形成される。
【００３３】
図６は本発明にかかる易開封性ガセット袋の第三実施形態を示す正面図である。図６に示すように易開封性ガセット袋Ａ３は摘み部６の側端縁熱接着部３、３側近傍に壁面シート１、１間に対向する熱接着性樹脂層２０の面同士を熱接着してポイントシール部９を設けた構成である。ポイントシール部９を設けた以外は第一実施形態と同様である。摘み部６の幅αを山折り線Ｇａに近似したものに設定する場合にはポイントシール部９は壁面シート１と側面シート２間に対向する熱接着性樹脂層２０の面同士を熱接着して設けてもよい。このような構成とすることにより容易に摘み部６より開封用切目線５、５に沿って、壁面シート１の引裂き開始がスムーズになるものである。なお、ポイントシール部９は製袋工程で設けることができ、接着強度は開封用切目線５に沿って壁面シート１を引裂く引裂き強度より大きくなるように熱接着することが重要である。
【００３４】
図７は本発明にかかる易開封性ガセット袋の第四実施形態を示す正面図である。図７に示すように易開封性ガセット袋Ａ４は開封用切目線５において摘み部６に設けられた一方の壁面シート１の上端縁から上部熱接着部４の上側端縁間の長さβの部分が壁面シート１を貫通する切れ目線５ｂで構成されている。切れ目線５ｂは少なくとも上部熱接着部４に接するか又は少し重なるように設けるほうが好ましい。第一実施形態とは切れ目線５ｂが設けられている点と開封開始手段が設けられていない点で異なる以外は第一実施形態と同じである。このような構成とすることにより摘み部６が容易に摘め開封開始がより一層スムーズになるものである。なお、切れ目線５ｂは、壁面シート１用の積層体の製造後、ロータリーダイカッターを備えた打抜き機で設けることもできるが、切れ目線５ｂの打抜型を備えた製袋機を用いて製袋工程で壁面シート１用の積層体の巻取を巻き戻しながら、印刷見当に合せて所定位置に壁面シート１を貫通する切れ目線５ｂを設けるとよい。
【実施例１】
【００３５】
次に、本発明について、以下に実施例を挙げてさらに詳しく説明する。
壁面シートの基材層に厚さ１２μｍの片面コロナ処理した二軸延伸ポリエチレンテレフタレートフィルム（ＰＥＴ）を用いてコロナ処理面にグラビア印刷法により所定の印刷を行ない印刷層を設け、該印刷層にポリエステル−イソシアネート系接着剤を介して中間層に厚さ７μｍのアルミニウム箔（ＡＬＭ）を用いてドライラミネーション法（ＤＬ）により積層して、さらにＡＬＭ面にポリエステル−イソシアネート系接着剤を介して熱接着性樹脂層に厚さ３０μｍの易剥離性熱接着性樹脂（ＥＰＲ）を用いてドライラミネーション法により積層して壁面シート用積層体（ＰＥＴ／ＤＬ／ＡＬＭ／ＤＬ／ＥＰＲ）を作製した。なお、ＥＰＲには、東セロ株式会社製の銘柄ＣＭＰＳ０１３を用いた。
【００３６】
側面シートの基材層に厚さ１２μｍのＰＥＴ、中間層に厚さ７μｍのＡＬＭ、熱接着性樹脂層に厚さ３０μｍの直鎖状低密度ポリエチレン（ＬＬＤＰＥ）を用いて接着剤を介して順次、ドライラミネーション法により積層して側面シート用積層体（ＰＥＴ／印刷／ＡＤ／ＶＭＰＥＴ／ＡＤ／ＬＬＤＰＥ）を作製した。なお、接着剤は壁面シート用積層体に用いた接着剤と同じものを使用した。
【００３７】
上記の壁面シート、側面シート用積層体を所定の寸法にスリッターして、パルス発振タイプのレーザー照射を装備した自立袋製袋機を用いて、壁面シート用積層体の印刷に同調させて所定位置に開封用切目線を基材層に設けて下記の易開封性ガセット袋Ａ１を作製した。
易開封性ガセット袋寸法：上下１５０ｍｍ×左右８０ｍｍ
側端縁熱接着部シール幅：５ｍｍ
上部熱接着部シール幅  ：５ｍｍ
ガセット部折り込み幅  ：２０ｍｍ（展開寸法：４０ｍｍ）
摘み部の幅α          ：２０ｍｍ
Ｖカット上下寸法      ：３ｍｍ
開封用切目線：Ｖ字形ノッチの位置を起点とし側端縁熱接着部近傍での湾曲点ｗとする曲線を下記のように設けた。
湾曲点ｗ：壁面シート上端縁より下部熱接着部側に１５ｍｍ
切目の長さ：１．５ｍｍ
切目の間隔：０．５ｍｍ
なお、上部熱接着部は上端縁より３．０ｍｍ離して設けた。
【実施例２】
【００３８】
実施例１で作製した壁面シート用積層体、側面シート用積層体を用いて所定の寸法にスリッターして、パルス発振タイプのレーザー照射を装備した自立袋製袋機を用いて、壁面シート用積層体の印刷に同調させて所定位置に開封用切目線を基材層に設けて下記の易開封性ガセット袋Ａ２を作製した。
易開封性ガセット袋寸法：上下１５０ｍｍ×左右８０ｍｍ
側端縁熱接着部シール幅：５ｍｍ
上部熱接着部シール幅  ：５ｍｍ
ガセット部折り込み幅  ：２０ｍｍ（展開寸法：４０ｍｍ）
摘み部の幅α          ：２０ｍｍ
Ｖカット上下寸法      ：３ｍｍ
開封用切目線：Ｖ字形ノッチの位置を起点とし側端縁熱接着部の外縁を終点ｅとする曲線を下記のように設けた。
終点ｅ    ：壁面シート上端縁より下部熱接着部側に１５ｍｍ
切目の長さ：１．５ｍｍ
切目の間隔：０．５ｍｍ
なお、上部熱接着部は上端縁より３．０ｍｍ離して設けた。
【実施例３】
【００３９】
実施例１で作製した壁面シート用積層体、側面シート用積層体を用いて所定の寸法にスリッターして、パルス発振タイプのレーザー照射を装備した自立袋製袋機を用いて、壁面シート用積層体の印刷に同調させて所定位置に開封用切目線を基材層に設けて易開封性ガセット袋Ａ３を作製した。実施例１と同じ寸法、形態でポイントシール部のみ下記のように設けた。
ポイントシール位置：側端縁熱接着部の外縁より３７ｍｍ
壁面シート上端縁より１．５ｍｍ
ポイントシールの大きさ：外径１ｍｍの円形状
【実施例４】
【００４０】
実施例１で作製した壁面シート用積層体、側面シート用積層体を用いて所定の寸法にスリッターして、所定の切れ目線の打抜型とパルス発振タイプのレーザー照射を装備した自立袋製袋機を用いて、壁面シート用積層体の印刷に同調させて打抜機で所定位置に壁面シートを貫通する切れ目線を設け、レーザー照射装置で開封用切目線を基材層に設けて易開封性ガセット袋Ａ４を作製した。実施例１と同じ寸法、形態で切れ目線のみ下記のように設けた。
切れ目線の長さ：壁面シートの上端縁より３．５ｍｍ
【００４１】
実施例１〜４で作製した易開封性ガセット袋Ａ１、Ａ２、Ａ３、Ａ４にポテトチップをそれぞれ封入し下部熱接着部で熱接着して密封した。その後、易開封性ガセット袋の摘み部を一方の手指で摘み、他方の手指で他方の壁面シートの摘み部に対向する部分を摘み、相反する方向に引っ張って包装体を開封したところ、易開封性ガセット袋Ａ１、Ａ３、Ａ４はＶ字形ノッチの尖端を起点として開封用切目線に沿って壁面シートを引裂くと共に、上部熱接着部で壁面シート間で容易に剥離でき、さらに開封用切目線に沿って、壁面シートを引裂くことができ、美麗で広い開封口が形成され、ポテトチップを最後まで容易に取り出すことができた。易開封性ガセット袋Ａ２については、摘み部よりＶ字形ノッチを開封開始起点として開封用切目線に沿って、壁面シートを引裂くと共に、上部熱接着部に到達すると壁面シート間で剥離でき、さらに開封用切目線に沿って壁面シートを引裂くことができ、側端縁熱接着部に到達後は側面シートと壁面シートとの間で剥離でき、美麗で広い開封口が形成でき、ポテトチップを最後まで容易に取り出すことができた。
【図面の簡単な説明】
【００４２】
【図１】本発明にかかる易開封性ガセット袋の第一実施形態を示す正面図である。
【図２】図１のＸ−Ｘ線断面図である。
【図３】図１の易開封性ガセット袋に内容物を収納した包装体を示す斜視図である。
【図４】図３の易開封性ガセット袋の開封状態を説明する斜視図である。
【図５】第二実施形態を示す正面図である。
【図６】第三実施形態を示す正面図である。
【図７】第四実施形態を示す正面図である。
【符号の説明】
【００４３】
１                    壁面シート
２                    側面シート
３                    側端縁熱接着部
４                    上部熱接着部
５、５’              開封用切目線
５ａ                  切目
５ｂ                  切れ目線
６                    摘み部
７                    Ｖ字形ノッチ
８                    下部熱接着部
９                    ポイントシール部
１０                  基材層
２０                  熱接着性樹脂層
Ａ１、Ａ１’          易開封性ガセット袋
Ａ２、Ａ３、Ａ４      易開封性ガセット袋
Ａ１’’              トレー状容器
Ｇ                    ガセット部
Ｇａ                  山折り線
Ｐ                    領域
Ｑ                    開封片
Ｒ                    開封口
Ｓ                    側部
ｅ                    終点
ｗ                    湾曲点
α                    摘み部の幅
β                    壁面シートの上端縁から上部熱接着部の上側端縁間の長さ
【図１】
2008239187.tif 000003
【図２】
2008239187.tif 000004
【図３】
2008239187.tif 000005
【図４】
2008239187.tif 000006
【図５】
2008239187.tif 000007
【図６】
2008239187.tif 000008
【図７】
2008239187.tif 000009